(57)【要約】【課題】撮影画像に付加されている音声の消去と、それに代わる音声の付加作業とを簡単に行うことができる電子カメラ及び画像記憶装置、及び撮影画像に、それにふさわしい音声を簡単に付加することができる画像記憶装置を提供する。【解決手段】音声付き静止画撮影モードでの撮影直後や、再生モードで画像を表示したとき、音声の消去指示があればモード選択メニューＭ１を表示する。「内蔵音声モード」の選択時には、予め記憶している音声の中でその画像に付加されている撮影情報に対応する音声のみを示す音声メニューＭ２を表示し、いずれかの音声が選択されたら、その音声を画像に付加して記録（更新）する。また、「アフレコモード」の選択時には確認メッセージＭ３を表示し、録音の実行が指示されたら、その時点で新たに音声を録音し、その音声を画像に付加して画像を記録（更新）する。音声の消去と新たな音声の付加作業とが一連の操作で可能となる。【選択図】　　図５
2004134902.tif 000002
【特許請求の範囲】
【請求項１】
録音した音声を撮影画像に付加して記録する音声付き撮影機能を備えた電子カメラにおいて、
前記撮影画像の撮影及び音声の録音に続き、録音した音声を再生させる再生手段と、
この再生手段により再生された音声の消去をユーザーが指示する指示手段と、この指示手段により音声の消去が指示されることに伴い、消去する音声に代えて他の音声を撮影画像に付加して記録する音声消去モードでの動作を開始させるモード設定手段と
を備えたことを特徴とする電子カメラ。
【請求項２】
予め複数種類の音声を記憶する記憶手段と、
この記憶手段に記憶されている複数種類の音声の中から所望の音声をユーザーに選択させる音声選択手段とを備え、
前記音声消去モードは、前記音声選択手段により選択された音声を前記他の音声とする内蔵音声モードであることを特徴とする請求項１記載の電子カメラ。
【請求項３】
前記音声選択手段によりユーザーに選択させる音声を、前記撮影画像の撮影に際して取得された撮影情報に基づき制限する制限手段を備えたことを特徴とする請求項２記載の電子カメラ。
【請求項４】
前記音声消去モードは、前記他の音声を新たに録音するアフレコモードであることを特徴とする請求項１記載の電子カメラ。
【請求項５】
前記モード設定手段は、前記音声消去モードとして予め用意されているモードであって、記憶手段に記憶されている複数の音声の中からユーザーによって選択された音声を前記他の音声とする内蔵音声モードと、前記他の音声を新たに録音するアフレコモードとのいずれかをユーザーに選択させるモード選択手段を含み、このモード選択手段により選択されたモードでの動作を開始させることを特徴とする請求項１記載の電子カメラ。
【請求項６】
音声が付加された撮影画像を記憶する画像記憶手段を備えた画像記憶装置であって、
前記画像記憶手段に記憶されている撮影画像に付加されている音声の消去をユーザーが指示する指示手段と、
この指示手段により音声の消去が指示されることに伴い、消去する音声に代えて他の音声を撮影画像に付加して更新する音声消去モードでの動作を開始させるモード設定手段と
を備えたことを特徴とする画像記憶装置。
【請求項７】
予め複数種類の音声を記憶する記憶手段と、
この記憶手段に記憶されている複数種類の音声の中から所望の音声をユーザーに選択させる音声選択手段とを備え、
前記音声消去モードは、前記音声選択手段により選択された音声を前記他の音声とする内蔵音声モードであることを特徴とする請求項６記載の画像記憶装置。
【請求項８】
前記音声選択手段によりユーザーに選択させる音声を、前記撮影画像の撮影に際して取得されるとともに当該撮影画像に対応して記憶されている撮影情報に基づき制限する制限手段を備えたことを特徴とする請求項７記載の画像記憶装置。
【請求項９】
前記音声消去モードは、前記他の音声を新たに録音するアフレコモードであることを特徴とする請求項６記載の画像記憶装置。
【請求項１０】
前記モード設定手段は、前記音声消去モードとして予め用意されているモードであって、記憶手段に記憶されている複数の音声の中からユーザーによって選択された音声を前記他の音声とする内蔵音声モードと、前記他の音声を新たに録音するアフレコモードとのいずれかをユーザーに選択させるモード選択手段を含み、このモード選択手段により選択されたモードでの動作を開始させることを特徴とする請求項６記載の画像記憶装置。
【請求項１１】
撮影画像を記憶する画像記憶装置であって、
予め複数種類の音声を記憶する記憶手段と、
この記憶手段に記憶されている複数種類の音声の中から所望の音声をユーザーに選択させる音声選択手段と、
この音声選択手段によりユーザーに選択された音声を前記画像記憶手段に記憶されている撮影画像に付加する音声付加手段と、
前記音声選択手段によりユーザーに選択させる音声を、前記音声付加手段による音声の付加対象となる撮影画像の撮影に際して取得されるとともに当該撮影画像に対応して記憶されている撮影情報に基づき制限する制限手段と
を備えたことを特徴とする画像記録装置。
【請求項１２】
録音した音声を撮影画像に付加して記録する音声付き撮影機能を備えた電子カメラが有するコンピュータを、
前記撮影画像の撮影及び音声の録音に続き、録音した音声を再生させる再生手段と、
この再生手段により再生された音声の消去がユーザーに指示されることに伴い、消去する音声に代えて他の音声を撮影画像に付加して記録する音声消去モードでの動作を開始させるモード設定手段として機能させるプログラム。
【請求項１３】
音声が付加された撮影画像を記憶する画像記憶手段を備えた画像記憶装置が有するコンピュータを、
前記画像記憶手段に記憶されている撮影画像に付加されている音声の消去がユーザーに指示されることに伴い、消去する音声に代えて他の音声を撮影画像に付加して前記画像記憶手段に記録する音声消去モードでの動作を開始させるモード設定手段として機能させるプログラム。
【請求項１４】
撮影画像を記憶するとともに、予め複数種類の音声を記憶する記憶手段を備えた画像記憶装置が有するコンピュータを、
前記記憶手段に記憶されている複数種類の音声の中から所望の音声をユーザーに選択させる音声選択手段と、
この音声選択手段によりユーザーに選択された音声を前記画像記憶手段に記憶されている撮影画像に付加する音声付加手段と、
前記音声選択手段によりユーザーに選択させる音声を、前記音声付加手段による音声の付加対象となる撮影画像の撮影時に取得されるとともに当該撮影画像に対応して記憶されている撮影情報に基づき制限する制限手段として機能させるプログラム。
【発明の詳細な説明】
【０００１】
【発明の属する技術分野】
本発明は、電子カメラ及び画像記憶装置に関する。
【０００２】
【従来の技術】
従来、静止画像や動画像と音声とを同時に記録する音声付き撮影機能を備える電子カメラにおいては、撮影後に静止画像又は音声を消去可能なものが知られている（例えば、特許文献１参照。）。また、予め複数の音声情報を記憶しておき、撮影後に所望の音声を撮影画像に対応付けて記録可能とするものが知られている（例えば、特許文献２参照。）。
【０００３】
【特許文献１】
特開平１１−１３６６２３号公報（「００１５」段落〜「００３８」段落）
【０００４】
【特許文献２】
特開平１１−３５２５７２号公報（「００６１」段落）
【０００５】
【発明が解決しようとする課題】
しかしながら、従来の音声付き撮影機能を備える電子カメラにおいては、例えば撮影画像に付加して記録した音声（録音した音声、又は予め用意されていた音声）が気に入らない場合には、所定の動作モードを選択して撮影画像に付加されている音声をいったん消去してから、他の動作モードを選択して上記撮影画像に新たな音声を付加させる必要があり、ユーザーにおいては、そのような場合の操作が煩雑であるという問題があった。
【０００６】
また、撮影後において撮影画像に新たな音声を付加するとき、その撮影画像にふさわしい音声を付加させるためには、付加する候補音声をより多く用意しておく必要があるが、その場合には、付加する音声の選択作業が煩雑となるという問題があった。
【０００７】
本発明は、かかる従来の課題に鑑みてなされたものであり、撮影画像に付加されている音声の消去と、それに代わる音声の付加作業とを簡単に行うことができる電子カメラ及び画像記憶装置、及び撮影画像に、それにふさわしい音声を簡単に付加することができる画像記憶装置を提供することを目的とする。
【０００８】
【課題を解決するための手段】
前記課題を解決するために請求項１の発明にあっては、録音した音声を撮影画像に付加して記録する音声付き撮影機能を備えた電子カメラにおいて、前記撮影画像の撮影及び音声の録音に続き、録音した音声を再生させる再生手段と、この再生手段により再生された音声の消去をユーザーが指示する指示手段と、この指示手段により音声の消去が指示されることに伴い、消去する音声に代えて他の音声を撮影画像に付加して記録する音声消去モードでの動作を開始させるモード設定手段とを備えたものとした。
【０００９】
かかる構成において、音声付き撮影機能を用いた撮影時には、再生手段によりそのとき録音された音声が再生される。また、そのとき再生された音声の消去がユーザーにより指示されると、モード設定手段が、消去する音声に代えて他の音声を撮影画像に付加して記録する音声消去モードでの動作を開始させる。したがって、撮影時には、撮影画像に付加される音声を確認した後、音声の消去を指示することにより、自動的に移行する音声消去モードにおいて撮影画像に付加されている音声が変更できる。
【００１０】
また、請求項２の発明にあっては、予め複数種類の音声を記憶する記憶手段と、この記憶手段に記憶されている複数種類の音声の中から所望の音声をユーザーに選択させる音声選択手段とを備え、前記音声消去モードは、前記音声選択手段により選択された音声を前記他の音声とする内蔵音声モードであるものとした。
【００１１】
かかる構成においては、ユーザーは、撮影画像に付加される音声を、好みに応じた音声に直ちに変更することができる。
【００１２】
また、請求項３の発明にあっては、前記音声選択手段によりユーザーに選択させる音声を、前記撮影画像の撮影に際して取得された撮影情報に基づき制限する制限手段を備えたものとした。
【００１３】
かかる構成においては、ユーザーが選択可能な音声が、撮影画像の撮影に際して取得された撮影情報に基づき制限されるため、ユーザーは、撮影画像にふさわしい音声を容易に選択することができる。
【００１４】
また、請求項４の発明にあっては、前記音声消去モードは、前記他の音声を新たに録音するアフレコモードであるものとした。
【００１５】
かかる構成においては、ユーザーは、撮影画像に付加される音声を、実際に録音した音声に直ちに変更することができる。
【００１６】
また、請求項５の発明にあっては、前記モード設定手段は、前記音声消去モードとして予め用意されているモードであって、記憶手段に記憶されている複数の音声の中からユーザーによって選択された音声を前記他の音声とする内蔵音声モードと、前記他の音声を新たに録音するアフレコモードとのいずれかをユーザーに選択させるモード選択手段を含み、このモード選択手段により選択されたモードでの動作を開始させるものとした。
【００１７】
かかる構成においては、ユーザーは、撮影画像に付加される音声を、好みに応じた音声や実際に録音した音声に直ちに変更することができる。
【００１８】
また、請求項６の発明にあっては、音声が付加された撮影画像を記憶する画像記憶手段を備えた画像記憶装置であって、前記画像記憶手段に記憶されている撮影画像に付加されている音声の消去をユーザーが指示する指示手段と、この指示手段により音声の消去が指示されることに伴い、消去する音声に代えて他の音声を撮影画像に付加して更新する音声消去モードでの動作を開始させるモード設定手段とを備えたものとした。
【００１９】
かかる構成においては、指示手段によって、画像記憶手段に記憶されている撮影画像について、それに付加されている音声の消去がユーザーにより指示されると、モード設定手段が、消去する音声に代えて他の音声を撮影画像に付加して記録する音声消去モードでの動作を開始させる。したがって、ユーザーは、記憶されている撮影画像に付加されている音声の消去を指示することにより、自動的に移行する音声消去モードにおいて撮影画像に付加されている音声が変更できる。
【００２０】
また、請求項７の発明にあっては、予め複数種類の音声を記憶する記憶手段と、この記憶手段に記憶されている複数種類の音声の中から所望の音声をユーザーに選択させる音声選択手段とを備え、前記音声消去モードは、前記音声選択手段により選択された音声を前記他の音声とする内蔵音声モードであるものとした。
【００２１】
かかる構成においては、ユーザーは、撮影画像に既に付加されている音声を、好みに応じた音声に直ちに変更することができる。
【００２２】
また、請求項８の発明にあっては、前記選択手段によりユーザーに選択させる音声を、前記撮影画像の撮影に際して取得されるとともに当該撮影画像に対応して記憶されている撮影情報に基づき制限する制限手段を備えたものとした。
【００２３】
かかる構成においては、ユーザーが選択可能な音声が、撮影画像の撮影に際して取得された撮影情報に基づき制限されるため、ユーザーは、撮影画像にふさわしい音声を容易に選択することができる。
【００２４】
また、請求項９の発明にあっては、前記音声消去モードは、前記他の音声を新たに録音するアフレコモードであるものとした。
【００２５】
かかる構成においては、ユーザーは、撮影画像に既に付加されている音声を、好みに応じた音声や実際に録音した音声に直ちに変更することができる。
【００２６】
また、請求項１０の発明にあっては、前記モード設定手段は、前記音声消去モードとして予め用意されているモードであって、記憶手段に記憶されている複数の音声の中からユーザーによって選択された音声を前記他の音声とする内蔵音声モードと、前記他の音声を新たに録音するアフレコモードとのいずれかをユーザーに選択させるモード選択手段を含み、このモード選択手段により選択されたモードでの動作を開始させるものとした。
【００２７】
かかる構成においては、ユーザーは、撮影画像に既に付加されている音声を、好みに応じた音声や実際に録音した音声に直ちに変更することができる。
【００２８】
また、請求項１１の発明にあっては、撮影画像を記憶する画像記憶装置であって、予め複数種類の音声を記憶する記憶手段と、この記憶手段に記憶されている複数種類の音声の中から所望の音声をユーザーに選択させる音声選択手段と、この音声選択手段によりユーザーに選択された音声を前記画像記憶手段に記憶されている撮影画像に付加する音声付加手段と、前記音声選択手段によりユーザーに選択させる音声を、前記音声付加手段による音声の付加対象となる撮影画像の撮影に際して取得されるとともに当該撮影画像に対応して記憶されている撮影情報に基づき制限する制限手段とを備えたものとした。
【００２９】
かかる構成においては、記憶されている撮影画像に、記憶手段に記憶されているとともに、制限手段によりその撮影画像の撮影に際して取得された撮影情報に基づき制限された選択候補の中からユーザーにより選択された音声が、音声付加手段によって付加される。したがって、撮影画像には、撮影情報に基づき選択可能とされた音声、つまり撮影画像と関係が深い音声の中でユーザーにより選択された音声が付加される。
【００３０】
また、請求項１２の発明にあっては、録音した音声を撮影画像に付加して記録する音声付き撮影機能を備えた電子カメラが有するコンピュータを、前記撮影画像の撮影及び音声の録音に続き、録音した音声を再生させる再生手段と、この再生手段により再生された音声の消去がユーザーに指示されることに伴い、消去する音声に代えて他の音声を撮影画像に付加して記録する音声消去モードでの動作を開始させるモード設定手段として機能させるプログラムとした。
【００３１】
また、請求項１３の発明にあっては、音声が付加された撮影画像を記憶する画像記憶手段を備えた画像記憶装置が有するコンピュータを、前記画像記憶手段に記憶されている撮影画像に付加されている音声の消去がユーザーに指示されることに伴い、消去する音声に代えて他の音声を撮影画像に付加して前記画像記憶手段に記録する音声消去モードでの動作を開始させるモード設定手段として機能させるプログラムとした。
【００３２】
また、請求項１４の発明にあっては、撮影画像を記憶するとともに、予め複数種類の音声を記憶する記憶手段を備えた画像記憶装置が有するコンピュータを、前記記憶手段に記憶されている複数種類の音声の中から所望の音声をユーザーに選択させる音声選択手段と、この音声選択手段によりユーザーに選択された音声を前記画像記憶手段に記憶されている撮影画像に付加する音声付加手段と、前記音声選択手段によりユーザーに選択させる音声を、前記音声付加手段による音声の付加対象となる撮影画像の撮影時に取得されるとともに当該撮影画像に対応して記憶されている撮影情報に基づき制限する制限手段として機能させるプログラムとした。
【００３３】
【発明の実施の形態】
以下、本発明の一実施の形態を図にしたがって説明する。
【００３４】
（第１の実施の形態）
図１は、本発明の各実施の形態に共通する電子カメラ１の概略構成を示すブロック図である。この電子カメラ１は、切り換え可能な記録モードと再生モード等を備えたものであって、ＣＣＤ２とＤＳＰ／ＣＰＵ３とを有している。ＤＳＰ／ＣＰＵ３は、画像データの圧縮・伸張、音声データの処理を含む各種のデジタル信号処理機能を有するとともに電子カメラ１の各部を制御するワンチップマイコンである。
【００３５】
ＤＳＰ／ＣＰＵ３には、ＣＣＤ２を駆動するＴＧ（Ｔｉｍｉｎｇ　Ｇｅｎｅｒａｔｏｒ）４が接続されており、ＴＧ４には、ＣＣＤ２から出力される被写体の光学像に応じたアナログの撮像信号が入力するユニット回路５が接続されている。ユニット回路５は、ＣＣＤ２から出力される撮像信号を相関二重サンプリングして保持するＣＤＳ（Ｃｏｒｒｅｌａｔｅｄ　Ｄｏｕｂｌｅ　Ｓａｍｐｌｉｎｇ）回路、その撮像信号を増幅するゲイン調整アンプ（ＡＧＣ）、増幅後の撮像信号をデジタル信号に変換するＡ／Ｄ変換器（ＡＤ）から構成されており、ＣＣＤ２の出力信号はユニット回路５を経てデジタル信号としてＤＳＰ／ＣＰＵ３に送られる。
【００３６】
ＤＳＰ／ＣＰＵ３には、表示装置６、キー入力部７、時計部８、音声処理部９が接続されるとともに、アドレス・データバス１０を介してバッファメモリ（ＤＲＡＭ）１１、内蔵フラッシュメモリ１２、着脱自在な保存メモリ１３（本発明の記憶手段、画像記憶手段）が接続されている。
【００３７】
バッファメモリ１１は、ＣＣＤ２により撮像された後デジタル化された被写体の画像データ等を一時保存するバッファであるとともに、ＤＳＰ／ＣＰＵ３のワーキングメモリとしても使用される。
【００３８】
内蔵フラッシュメモリ１２には、ＤＳＰ／ＣＰＵ３の動作プログラムや各部の制御に使用する各種データが記憶されており、ＤＳＰ／ＣＰＵ３は、前記動作プログラムに従い動作することにより、本発明の再生手段、モード設定手段、音声選択手段、制限手段、モード選択手段、音声付加手段として機能する。
【００３９】
また、内蔵フラッシュメモリ１２には、電子カメラ１に用意されている目的別撮影モードによる撮影が行われるとき使用される撮影条件（フォーカス、シャッター速度、絞り、ＥＶシフト量、感度などの制御内容）の設定データであって、目的別撮影モードで選択可能な複数の撮影モード、例えば「パーティー」、「宴会」、「コンサート」、「風景」、「スポーツ」等の撮影モードの各々に対応するデータが記憶されている。さらに、内蔵フラッシュメモリ１２には、図２に示すように、後述する音声メニューＭ２に選択項目として表示される複数の文字データ２ａと複数の音声データ２ｂとが互に対応付けられて記憶されるとともに、各々のデータの組には、それらが対応する１又は複数の前述した撮影モードの種別を示す識別データ２ｃ（前記目的別撮影モードで選択可能な撮影モード）が対応付けられた状態で記憶されている。
【００４０】
表示装置６はカラーＬＣＤとその駆動回路とを含み、撮影待機状態にあるときにはＣＣＤ２によって撮像された被写体画像をスルー画像として表示し、記録画像の再生時には保存メモリ１３から読み出され伸張された記録画像を表示する。キー入力部７はシャッターボタン、電源キー、ＭＥＮＵキー、十字キー等の複数の操作キーを含み、使用者によるキー操作に応じたキー入力信号をＤＳＰ／ＣＰＵ３に出力する。また、上記のうちのＭＥＮＵキー等の所定のキーが本発明の指示手段として機能する。時計部８は日付及び時刻をカウントするカレンダー機能と時計機能とを有しており、撮影動作時等に必要に応じて日付データ及び時刻データをＤＳＰ／ＣＰＵ３へ送る。また、時計部８は後述する動作においてはタイマーとしても用いられる。
【００４１】
音声処理部９は内蔵マイク、アンプ、Ａ／Ｄ変換器、内蔵スピーカ等を含み、音声付き撮影モードでの撮影時に内蔵マイクに入力した音声をデジタル信号に変換してＤＳＰ／ＣＰＵ３へ送る。ＤＳＰ／ＣＰＵ３へ送られた音声データは前記画像ファイルに埋め込まれて、保存メモリ１３に記録される。記録された音声データは対応する画像ファイルの画像データと共に再生され、内蔵スピーカから音声出力される。
【００４２】
また、前記保存メモリ１３に記憶される画像ファイルには、通常の静止画撮影モードとで撮影、及び音声付き静止画撮影モードでの撮影とに関係なく、撮影時に取得された撮影日時、前述した撮影条件や、目的別撮影モードで選択された撮影モードの種別等の撮影情報が付加される。
【００４３】
次に、以上の構成からなる電子カメラ１における動作を説明する。図３及び図４は、音声付き静止画撮影モードが設定されたときのＤＳＰ／ＣＰＵ３の処理手順を示すフローチャートである。
【００４４】
ＤＳＰ／ＣＰＵ３は、音声付き静止画撮影モードが設定されると、まずユーザーに目的別撮影モードを選択させ（ステップＳＡ１）、選択された撮影モードに対応する撮影条件データを内蔵フラッシュメモリ１２から読み出し、それに基づき所定の撮影条件を設定する（ステップＳＡ２）。このとき、選択された撮影モードが画面上に人型等のフレーム枠を表示させるモードである場合には、それを表示する。しかる後、ＣＣＤ２により撮像された被写体のスルー画像を表示装置に表示させる（ステップＳＡ３）。
【００４５】
やがてシャッターボタンが押されたら（ステップＳＡ４でＹＥＳ）、ＣＣＤ２により被写体を撮像して、その画像データをバッファメモリ１１に一時記憶するとともに、音声録音を開始し、音声処理部９の内蔵マイクで検出されてデジタル信号に変換された音声データをバッファメモリ１１に順次記憶させる（ステップＳＡ５）。その後、例えば所定時間の経過後や、シャッターボタンが押し続けられた状態から元の状態に復帰した時点で、バッファメモリ１１内の画像データ及び音声データに基づき画像及び音声を直ちに再生し（ステップＳＡ６）、タイマーをスタートし経過時間のカウントを開始する（ステップＳＡ７）。
【００４６】
引き続き、ユーザにより音声消去の指示（所定のキー操作）があるか否かを判別し、その指示が所定時間内に行われなければ（ステップＳＡ８でＮＯ、ステップＳＡ９でＹＥＳ）、バッファメモリ１１に記憶されている画像データ及び音声データに基づき所定フォーマットの画像ファイルを作成し、それを保存メモリ１３に記録し（ステップＳＡ１０）、ステップＳＡ３へ戻って次の撮影に備える。
【００４７】
また、所定時間内に音声消去の指示があれば（ステップＳＡ８でＹＥＳ）、図５（ａ）に示したような、静止画上に選択可能なモードの一覧が表示された音声消去用のモード選択画面Ｍ１を表示装置６に表示させた後（ステップＳＡ１１）、ユーザーによっていずれのモードが選択されたか確認する（ステップＳＡ１２）。ここで、モード選択画面Ｍ１にはモード解除用の「キャンセル」が用意されており、ユーザーにより「キャンセル」が選択されたときには、ステップＳＡ１０へ進み、画像ファイルを保存メモリ１３に記録し、ステップＳＡ３へ戻って次の撮影に備える。
【００４８】
一方、モード選択画面Ｍ１から「内蔵音声モード」が選択されたら、引き続き、その時点で設定されている目的別撮影モード、すなわち「パーティー」、「宴会」、「コンサート」等の撮影モードに対応して内蔵フラッシュメモリ１２に記憶されている音声データの内容を示す、図５（ｂ）に示した音声メニューＭ２を表示装置６に表示させる（ステップＳＡ１３）。なお、同図における画像と音声の選択項目とは音声メニューＭ２を便宜的に示したものである。そして、ユーザーによっていずれかの音声が選択されたら（ステップＳＡ１４でＹＥＳ）、選択された音声のデータを内蔵フラッシュメモリ１２から読み出すとともに、それをバッファメモリ１１に記憶されている画像データに付加して所定フォーマットの画像ファイルを作成し、それを保存メモリ１３に記録する（ステップＳＡ１５）。しかる後、ステップＳＡ３へ戻って次の撮影に備える。
【００４９】
また、ステップＳＡ１２において、モード選択画面Ｍ１から「アフレコモード」が選択されていたときには、表示装置６の画面上に、例えば図５（ｃ）に示したような「録音を開始しますか？」といった所定の確認メッセージＭ３を表示する（ステップＳＡ１６）。やがてキー入力部７の所定のキーに予め割り当てられている実行ボタンがユーザーによって押されたら（ステップＳＡ１７でＹＥＳ）、例えば上記実行ボタンが押されている間に音声記録を行い、録音した音声データをバッファメモリ１１に一時記録する（ステップＳＡ１８）、そして、ここで記録した音声データを、先にバッファメモリ１１に記憶されている画像データに付加して所定フォーマットの画像ファイルを作成し、それを保存メモリ１３に記録する（ステップＳＡ１９）。しかる後、ステップＳＡ３へ戻って次の撮影に備える。
【００５０】
そして、以上の動作を、ユーザーにより音声付き静止画撮影モードが解除されるまで繰り返す。また、図示しないが、ユーザーによって目的別撮影モードの変更操作が行われた場合には、ステップＳＡ１へ戻り前述した動作を行う。
【００５１】
したがって、本実施の形態において、ユーザーは、撮影が終了した直後に、画像に付加した記録される音声が確認できる一方、確認した音声が気に入らない場合においては、それを一連の操作で直ちに消去したり、他の音声に変更することができる。よって、撮影時において、撮影画像に付加される音声の消去と、それに代わる音声の付加作業とを簡単に行うことが可能となる。
【００５２】
しかも、他の音声に変更する場合において「内蔵音声モード」を選択したときには、撮影に先立ち設定しておいた目的別撮影モードに対応する音声、つまり撮影画像と関係の深い音声だけが、選択候補（新たに付加する音声）として音声メニューＭ２に表示される。よって、ユーザーは、撮影画像に、それにふさわしい音声を簡単に付加することができる。
【００５３】
また、他の音声に変更する場合において「アフレコモード」を選択したときには、撮影画像に付加されている音声を、実際に録音した音声に直ちに変更することができる。よって、撮影画像に付加する音声を、その場の撮影環境等に即した自然な音声とすることができる。
【００５４】
また、他の音声に変更する場合には、上記の「内蔵音声モード」と「アフレコモード」とを必要に応じて使い分けることができるため、使い勝手がよい。
【００５５】
なお、本実施の形態では、音声付き静止画撮影モードでの動作について説明したが、音声付き動画撮影モードにおいても本実施の形態と同様の動作を行わせるようにしてもよい。
【００５６】
また、音声付き静止画撮影時の音声録音の方法として、シャッターボタン操作に連動して音声録音を開始するものについて説明したが、例えばシャッターボタン操作による撮影直前又は撮影直後に録音の開始を別途指示して録音を開始させるものであってもよい。
【００５７】
また、音声の消去が指示されると、アフレコモードと内蔵音声モードのいずれかを選択するモード選択画面Ｍ１の表示に移行するものについて説明したが、音声の消去が指示された場合、直ちにアフレコモードあるいは内蔵音声モードに移行するようにしてもよい。
【００５８】
また、ステップＳＡ６で音声の再生終了後、所定時間内に消去ボタンが操作されるとモード選択画面Ｍ１の表示に移行するようにしたが、例えば音声の再生終了後に何らかのメニューを表示させる場合には、そのメニューの選択項目に「音声消去」を加えておき、それが選択されたときモード選択画面Ｍ１に移行するようにしてもよい。また、それとは別に、音声の再生終了後に「音声を消去しますか」等のメッセージを表示させ、実行ボタンが操作されたらモード選択画面Ｍ１に移行するようにしたり、音声の再生終了後、所定時間スルー画像表示に復帰させるためのキー操作がない場合にモード選択画面Ｍ１に移行するようにしてもよく、さらには、音声の再生終了後に直ちにモード選択画面Ｍ１に移行するようにしてもよい。
【００５９】
また、本実施の形態では、モード選択画面Ｍ１で「内蔵音声モード」が選択されたとき、ステップＳＡ１２で音声メニューＭ２に表示する音声データの選択候補を、撮影に先立ち選択設定されていた目的別撮影モードの種類に基づいて決定するようにしたが、以下のようにしてもよい。例えば前述した時計部８により撮影日時を取得したり、ＧＰＳ受信機能を有する構成であればＧＰＳ受信機能により撮影日時や撮影位置を取得したりするものとし、取得した撮影日、撮影時刻、撮影位置のいずれかの情報又は複数の情報に基づいて前記音声データの選択候補の種類を決定するようにしてもよい。
【００６０】
また、本実施の形態では、音声の消去指示を行うことにより表示されるモード選択画面で内蔵音声モードを選択した場合に、目的別撮影モードの種類に基づいて選択候補とする音声データの種類（数）を決定するようにしたが、例えば先に述べたように、音声の消去指示とは関係なく内蔵音声モードに移行したとき表示する音声メニューＭ２においても、それに表示する音声データの種類（数）を目的別撮影モードの種類に基づいて決定するようにしてもよい。
【００６１】
（第２の実施の形態）
次に、本発明の第２の実施の形態における電子カメラ１の動作を説明する。図６は、記録画像の再生モードが設定されたときのＤＳＰ／ＣＰＵ３の処理手順を示すフローチャートである。
【００６２】
再生モードが設定されるとＤＳＰ／ＣＰＵ３は、保存メモリ１３に保存されている１又は複数の画像の中から所望する画像をユーザーに選択させる（ステップＳＢ１）。例えば保存メモリ１３に保存されている画像の縮小画像を表示装置６の画面上に表示させ、ユーザーに所定のキー操作によって所望する画像を選択させる。そして、選択された画像のデータ（縮小画像の本体のデータ）を保存メモリ１３から読み出し表示装置６に表示させる（ステップＳＢ２）。このとき、選択された画像に音声が付加されていれば、それを示す音声アイコン（マーク）を画像と共に表示させる。引き続き、画像に付加されている音声を音声処理部９に再生させる（ステップＳＢ３）。なお、この音声の再生は必ずしも行わなくともよく、例えばユーザーにより音声の再生が指示された場合にのみ再生するようにしてもよい。また、音声が付加されていない画像が選択されていたときには、係る処理はスキップする。
【００６３】
しかる後、第１の実施の形態で説明したステップＳＡ７〜ＳＡ１９の処理とほぼ同様の処理を行う。すなわち、タイマーをスタートして経過時間のカウントを開始し（ステップＳＢ４）、所定時間内にユーザにより音声消去の指示がなければ（ステップＳＢ５でＮＯ、ステップＳＢ６でＹＥＳ）、何もせずステップＳＢ１へ戻る。また、所定時間内に音声消去の指示があれば（ステップＳＢ５でＹＥＳ）、前述したモード選択画面Ｍ１（図５（ａ）参照）を表示装置６に表示させた後（ステップＳＢ７）、ユーザーによっていずれのモードが選択されたか確認する（ステップＳＢ８）。
【００６４】
そして、「キャンセル」が選択されたときには、何もせずステップＳＢ１へ戻る。一方、モード選択画面Ｍ１から「内蔵音声モード」が選択されたら、引き続き、その時点で表示している画像のファイルに付加されている、当該画像の撮影時に設定されていた目的別撮影モードの種類に対応して内蔵フラッシュメモリ１２に記憶されている音声データの内容を示す音声メニューＭ２（図５（ｂ）参照）を表示装置６に表示させる（ステップＳＢ９）。
【００６５】
そして、ユーザーによりいずれかの音声が選択されたら（ステップＳＢ１０でＹＥＳ）、選択された音声のデータを内蔵フラッシュメモリ１２から読み出すとともに、その音声データを、表示中の画像に付加して画像ファイルを更新する（ステップＳＢ１１）。すなわち音声が付加されている画像が選択（表示）されている場合には、画像データはそのままにして音声データのみ書き換え、音声が付加されていない画像が選択（表示）されている場合には、その画像データに音声データを付加した画像ファイルを新たに生成し、それを既存の画像ファイルに代えて保存する。しかる後、ステップＳＢ１へ戻る。
【００６６】
他方、ステップＳＢ８において、モード選択画面Ｍ１から「アフレコモード」が選択されていたときには、表示装置６の画面上に前述した所定の確認メッセージＭ３（図５（ｃ）参照）を表示する（ステップＳＢ１２）。やがてキー入力部７の所定のキーに予め割り当てられている実行ボタンがユーザーによって押されたら（ステップＳＢ１３でＹＥＳ）、例えば上記実行ボタンが押されている間に音声記録を行い、録音した音声データをバッファメモリ１１に一時記録する（ステップＳＢ１４）、そして、ここで記録した音声データを、表示中の画像に付加して画像ファイルを更新する（ステップＳＢ１５）。かかる処理においてもステップＳＢ１１と同様、音声が付加されている画像が選択（表示）されている場合には、画像データはそのままにして音声データのみ書き換え、音声が付加されていない画像が選択（表示）されている場合には、その画像データに音声データを付加した画像ファイルを新たに生成し、それを既存の画像ファイルに代えて保存する。しかる後、ステップＳＢ１へ戻る。そして、以上の動作を、ユーザーにより再生モードが解除されるまで繰り返す。
【００６７】
したがって、本実施の形態においては、ユーザーは、撮影により記録されているいずれかの撮影画像について、それに付加されている音声が気に入らない場合には、それを一連の操作で直ちに消去したり、他の音声に変更することができる。よって、撮影時において、撮影画像に付加される音声の消去と、それに代わる音声の付加作業とを簡単に行うことが可能となる。
【００６８】
しかも、第１の実施の形態と同様に、他の音声に変更する場合においてユーザーは、「内蔵音声モード」を選択することにより、撮影画像に、それにふさわしい音声を簡単に付加することができ、同時に「アフレコモード」を選択することにより、撮影画像に付加する音声を、その場の撮影環境等に即した自然な音声とすることができる。また、それらのモードを必要に応じて使い分けることができるため、使い勝手がよい。
【００６９】
なお、以上の説明においては、主としてユーザーが目的別撮影モードで撮影された画像を選択する場合を想定したが、それ以外の撮影モード、例えば１又は複数の撮影条件をユーザーが手動で設定するマニュアルモードや、シャッター速度優先、絞り優先等の撮影モードで撮影された画像が選択された場合においても、前述した動作を行う。その場合、ステップＳＢ９では、内蔵フラッシュメモリ１２に記憶されている全ての音声データの内容を示す、図５（ｂ）に示したものとはことなる音声メニューを表示装置６に表示させる。
【００７０】
また、本実施の形態においても、音声付き静止画撮影モードでの動作について説明したが、音声付き動画撮影モードにおいても本実施の形態と同様の動作を行わせるようにしてもよい。また、前述した動作中、音声消去の指示があった後におけるステップＳＢ７以降の動作については、第１の実施の形態において説明したような変更が可能である。
【００７１】
また、以上説明した第１及び第２の実施の形態では、電子カメラ１において記録モードで被写体を撮影するときや再生モードで記録画像を再生するときの動作に本発明を適用した場合を説明したが、本発明は、カメラ機能を有しないパソコンやＰＤＡ、携帯電話等に適用したり、カメラ付きのパソコンや、カメラ付きＰＤＡ、カメラ付き携帯電話等に適用してもよい。
【００７２】
また、以上説明した第１及び第２の実施の形態では、内蔵フラッシュメモリ１２に予め固定的に複数の音声を記憶させておく場合について説明したが、内蔵フラッシュメモリ１２に自分が録音した音声、パソコンやホームページからダウンロードした音声を登録できるようにしてもよい。
【００７３】
また、カメラ付きのパソコンや、カメラ付きＰＤＡ、カメラ付き携帯電話等においては、付加されている音声の消去又は変更の対象となる撮影画像は、電子カメラや、他のカメラ付き装置等の外部機器から取得したものであってもよい。
【００７４】
また、撮影画像に付加する音声の記録方式は、前述したように画像ファイル内に音声データを埋め込む方式以外にも、画像ファイルとは別個に音声ファイルを作成して両ファイルを関連付けて記憶する方式としてもよい。
【００７５】
【発明の効果】
以上説明したように請求項１の発明においては、撮影時には、撮影画像に付加される音声を確認した後、音声の消去を指示することにより、自動的に移行する音声消去モードにおいて撮影画像に付加される音声が変更できるようにした。よって、撮影画像に付加される音声の消去と、それに代わる音声の付加作業とを一連の操作によって行うことができ、ユーザーは、撮影時において、撮影画像に付加されている音声の消去と、それに代わる音声の付加作業とを簡単に行うことが可能となる。
【００７６】
また、請求項２の発明においては、ユーザーが、撮影画像に付加される音声を、好みに応じた音声に直ちに変更できるようにした。よって、使い勝手を向上させることができる。
【００７７】
また、請求項３の発明においては、ユーザーが、撮影画像に、それにふさわしい音声を簡単に付加できるようにした。よって、さらに使い勝手を向上させることができる。
【００７８】
また、請求項４の発明においては、ユーザーが撮影画像に付加される音声を、実際に録音した音声に直ちに変更ができるようにした。よって、撮影画像に付加する音声を、撮影環境等に即した自然な音声とすることができる。
【００７９】
また、請求項５の発明においては、ユーザーは、撮影画像に付加される音声を、好みに応じた音声や実際に録音した音声に簡単に変更することができるようにした。よって、撮影画像に付加する音声として、好みに応じた音声と、撮影環境等に即した自然な音声とを使い分けることができ、使い勝手を向上させることができる。
【００８０】
また、請求項６の発明においては、記憶されている撮影画像に付加されている音声の消去を指示することにより、自動的に移行する音声消去モードにおいて撮影画像に付加されている音声が変更できるようにした。よって、撮影画像に付加されている音声の消去と、それに代わる音声の付加作業とを一連の操作によって行うことができ、ユーザーは、撮影後においても、撮影画像に付加されている音声の消去と、それに代わる音声の付加作業とを簡単に行うことが可能となる。
【００８１】
また、請求項７の発明においては、ユーザーが、撮影画像に既に付加されている音声を、好みに応じた音声に直ちに変更できるようにした。よって、使い勝手を向上させることができる。
【００８２】
また、請求項８の発明においては、ユーザーが撮影画像に、それにふさわしい音声を簡単に付加できるようにした。よって、さらに使い勝手を向上させることができる。
【００８３】
また、請求項９の発明においては、ユーザーが撮影画像に既に付加されている音声を、実際に録音した音声に直ちに変更ができるようにした。よって、撮影画像に付加する音声を、撮影環境等に即した自然な音声とすることができる。
【００８４】
また、請求項１０の発明においては、ユーザーは、撮影画像に既に付加されている音声を、好みに応じた音声や実際に録音した音声に簡単に変更することができるようにした。よって、撮影画像に付加する音声を、好みに応じた音声や、撮影環境等に即した自然な音声に直ちに変更することができる。
【００８５】
また、請求項１１の発明においては、撮影画像には、撮影情報に基づき選択可能とされた音声、つまり撮影画像と関係が深い音声の中でユーザーにより選択された音声が付加されるようにした。よって、ユーザーは、撮影後においても、撮影画像に、それにふさわしい音声を簡単に付加することが可能となる。
【図面の簡単な説明】
【図１】本発明の各実施の形態に共通する電子カメラのブロック図である。
【図２】内蔵フラッシュメモリの記憶データの一部を示す模式図である。
【図３】第１の実施の形態におけるＤＳＰ／ＣＰＵの処理手順を示すフローチャートである。
【図４】図３に続くフローチャートである。
【図５】各実施の形態に共通する表示画面の一例を示す図である。
【図６】第２の実施の形態におけるＤＳＰ／ＣＰＵの処理手順を示すフローチャートである。
【符号の説明】
１　　電子カメラ
３　　ＤＳＰ／ＣＰＵ
６　　表示装置
７　　キー入力部
８　　時計部
９　　音声処理部
１２　　内蔵フラッシュメモリ
１３　　保存メモリ
【図１】
2004134902.tif 000003
【図２】
2004134902.tif 000004
【図３】
2004134902.tif 000005
【図４】
2004134902.tif 000006
【図５】
2004134902.tif 000007
【図６】
2004134902.tif 000008